(57)【要約】【課題】従来のミニギターアンプのように、ギター、アンプ、シールド線、イヤフォン、ピック、この５点を一つにまとめ、ギターを持っての移動をしやすくし、ギターストラップ上にミニアンプを装着する為、大幅にアンプ自体を小型化し、従来のアンプ機材のように、１０手にも及ぶ道具の接続及び調整作業を減らし、ギターストラップに直接取り付け、アルミクリップは、取り付けが簡単で、ストラップを傷つけず、滑り難く、変色しにくいこと。【解決手段】本機をギターストラップにアルミ製クリップで固定し、イヤフォンとケーブル線を巻き取り式にし、アンプと一体化、アンプの表面にピックケースを取り付け、アンプにスピーカーを使わず、イヤフォンを装着し、ボタン電池３個を使用にすることにより、大幅に小型化でき、ギターストラップに直接取り付ける金属製クリップ自体におうとつを付ける。【選択図】図１
0003128506.tif 000002
【実用新案登録請求の範囲】
【請求項１】
電気ギターを練習演奏する時や、持ち運びの際に必要とされる道具を、ギターストラップ表面に全て固定し、野外や夜間の練習に便利な、ギターアンプ機材において、電気ギターのストラップに、イヤフォンとケーブル線を、アンプ内部に収納、もしくは、アンプの横に固定でき、ピックケースをアンプの表面に固定できる物品で、ギターストラップにアンプを固定させるクリップは、セラミック等の硬い金属でできていて、滑らかなおうとつをつけたものであり、ギターストラップを滑りにくく、傷つけないとともに、ギターストラップの変色の可能性を極めて低くしたクリップで、イヤホンとケーブル線とピックケースと金属製クリップをアンプと一体化し、ギターストラップに装着して、ギターを持っての移動や練習演奏にかかる手間を大幅に削減した、携帯専用ギターアンプ機材。
【考案の詳細な説明】
【技術分野】
【０００１】携帯用ギターアンプ機材に関するものである。
【背景技術】
【０００２】従来のミニギターアンプは、持ち運びの際、電気ギター、シールド線、アンプ、ピックの４点を別々に持ち運ばなければならないが、夜間のギター練習には、イヤフォンもしくはヘッドフォンが必要になる場合が多く、その場合は５点の道具が必要になる。【０００３】従来のミニギターアンプは、直径７ｃｍくらいのスピーカーが付いている分、小さくても１５ｃｍ×１５ｃｍ×５ｃｍくらいの大きさがあるので、場所をとり、持ち運びに不便である。【０００４】従来のミニギターアンプは電池駆動で持ち運びも出来るのだが、接続するにあたって、まず、アンプ、シールド線、イヤフォン、ピックを取り出し、ギターにシールド線を繋ぎ、アンプにシールド線を繋ぎ、電源を入れ、ボリュームを上げるという、８手にも及ぶ作業が必要になり、また、夜間の練習には、イヤフォンをアンプに繋ぎ、イヤフォンを耳に付けるという作業が増えるため、１０手にも及ぶ作業となり、道具をしまう時も同じだけの作業が必要になる。【０００５】現在、スピーカーアンプ内蔵のギターは販売されているが、イヤフォンで聴くことが出来ず、夜間の練習などには不適切である。【０００６】スピーカーアンプ内蔵ギターは、スイッチを入れるとすぐに音は出るのだが、スピーカーアンプ内蔵ギターとは別に、自分愛用のギターで弾きたい場合には不適切である。【０００７】従来のギターストラップに取り付ける道具自体は、市販されているが革製でできていて、一度ギターストラップを外してから取り付けなければならなく、取り付け後は紐で縛らなければいけないので、非常に取り付け、取り外しに手間がかかることと、ギターストラップ自体は、ナイロン製や革製が多いので、ギザギザした金属クリップで挟んだり、滑り止めにゴムやスポンジを使うとストラップ自体が変形、変色してしまう。
【考案の開示】
【考案が解決しようとする課題】
【０００８】従来のミニギターアンプのように、ギター、アンプ、シールド線、イヤフォン、ピック、この５点を１つにまとめ、ギターを持っての移動をしやすくする。【０００９】ギターストラップ上にミニアンプを装着する為、大幅にアンプ自体を小型化させる。【００１０】従来のミニアンプのように、１０手にも及ぶ道具の接続及び調整作業だが、本機は、その作業を少なくする。【００１１】ギターストラップに直接取り付ける道具は金属クリップで、取り付けが簡単であり、ストラップを傷つけず、滑り難く変色しにくいこと。
【課題を解決するための手段】
【００１２】本機を、ギターストラップに金属製クリップで固定し、なおかつイヤフォンを巻き取り式にし、シールド線は巻き取り式にし難いため、ケーブル線を巻き取り式にしたものを使い、アンプと一体化し、ピックは、アンプの表面に固定されたピックケースに収納する。【００１３】本機は、スピーカーを使わず、イヤフォンを装着し、電源は、ボタン電池３個を使用することにより、大幅に小型化する。【００１４】本機のアンプ部分に、イヤフォン、ケーブル線、ピックを収納や固定することで音を出す為の道具を、装着、脱着しやすくする。【００１５】金属製クリップは、ギターストラップの表と裏の部分を挟みこむように装着し、クリップにおうとつを付けるのだが、ストラップ表面側に当たる金属部分は、滑らかなおうとつで、ストラップ裏側に当たる金属部分はおうとつを細かく沢山つける。
【考案の効果】
【００１６】以上説明したように、この考案によれば、アンプだけの大きさは、最小で３ｃｍ×４ｃｍ×２ｃｍに作ることができるが、イヤフォンとケーブル線は、アンプの中には収納できないため、アンプの横にスナップボタンで固定する形になり、ピックケースはアンプの表面に強力両面テープで固定でき、アンプの大きさを７．５ｃｍ×５ｃｍ×３ｃｍの大きさにすると、巻き取り式のイヤフォンとケーブル線は、アンプ内部に収納され、ピックケースもアンプの表面に固定でき、アンプの裏には、アルミクリップがネジで固定されているので、それをギターストラップに装着することで、練習演奏に必要な道具は１箇所にまとまった形となる。従来のミニアンプだと、最高で１０手に及ぶ装着や調整が、ギターにシールド線を繋ぎ、イヤフォンを耳に装着して電源をＯＮにして、ボリュームを調整、の４手だけで練習演奏ができるという効果がある。【００１７】ギターストラップに装着する金属製クリップは、表面に当たる部分が滑らかなおうとつで、裏に当たる部分のおうとつが細かく沢山あるため、滑りにくく、ストラップ表面にほとんど傷がつかず、金属製のため、変色の可能性が極めて低くなった。
【考案を実施するための最良の形態】
【実施例１】実際に、アンプ自体を４ｃｍ×３ｃｍ×２ｃｍの大きさに作ることはできるが、必要最低限の部品を使うため、細かい音質調整ができなくなり、電池自体もさらに小さなボタン電池を使用するため、電池の寿命も短くなってしまうことが挙がり、７．５ｃｍ×５ｃｍ×３ｃｍの大きさだと、ケーブル線とイヤフォンは、アンプ内部に収納することができるが、細いギターストラップ等に本機を装着する場合は、大きすぎてしまい、邪魔になる可能性が高いため、最良の形態は、アンプ自体が５．５ｃｍ×４ｃｍ×２ｃｍの大きさで、巻き取り式イヤフォンとケーブル線をスナップボタンでアンプの横に固定でき、ピックケースをアンプの表面に固定する形である。
【産業上の利用可能性】以上説明したように、ギターを弾く人達には非常に便利な商品であると共に、ギターストラップ上に本機を装着すると目立つため、それだけで宣伝効果に繋がる可能性が高いと思われる。
【図面の簡単な説明】
【図１】商品の略図。
【図２】実際の練習演奏時の図。
【符号の説明】
１、  音量調節用のつまみ。
２、  ギター特有の歪みを調節するつまみ。
３、  ピックを収納するピックケース。
４、  ギターに接続するプラグ。
５、  ケーブル線の巻き取り機。
６、  イヤフォンの巻き取り機。
７、  イヤフォン。
８、  イヤフォンとケーブル線の巻き取り部分を固定するためのスナップボタン。
９、  電源スイッチ。
１０、８に取り付ける為のスナップボタン。
１１、ケーブル線をギターに取り付けた状態。
１２、イヤフォンを耳に取り付けた状態。
１３、ギターストラップに本機を取り付けた状態。
１４、演奏者。
１５、ギター本体。
１６、ギターストラップ。
【図１】
0003128506.tif 000003
【図２】
0003128506.tif 000004